(57)【要約】      （修正有）【課題】接触不良が生じる可能性がある箇所をなくし動作の安定性に優れると共に、部品点数を低減して低原価で製造でき生産性に優れ、且つ、販売店の在庫管理の手間を低減し陳列スペースを節約できるポンプ装置を提供する。【解決手段】ポンプ装置１は、モータ４とインペラ５と吸込口６と吐出口７とを有するポンプ本体２と、商用電源から得た交流を所定電圧の直流に変圧及び整流する電源器８と、ポンプ本体２と電源器８とに接続され直流をポンプ本体２に供給する接続コード９と、を備えたポンプ装置であって、接続コード９の電源器側端部９ｂは電源器８に直接固定された構成を有する。【選択図】図１
0003115822.tif 000002
【実用新案登録請求の範囲】
【請求項１】
モータとインペラと吸込口と吐出口とを有するポンプ本体と、商用電源から得た交流を所定電圧の直流に変圧及び整流する電源器と、前記ポンプ本体と前記電源器とに接続され前記直流を前記ポンプ本体に供給する接続コードと、を備えたポンプ装置であって、前記接続コードの電源器側端部は前記電源器に直接固定されていることを特徴とするポンプ装置。
【請求項２】
前記電源器の筐体に形成され前記接続コードの前記電源器側端部が挿通されるコード挿通孔と、前記電源器側端部を前記コード挿通孔又は前記電源器内部に固定するコード固定部と、を備えていることを特徴とする請求項１に記載のポンプ装置。
【請求項３】
前記コード固定部が、前記接続コードの前記電源器側端部に環装固定され前記コード挿通孔の筐体内側及び筐体外側に各々配設された鍔状部を備えていることを特徴とする請求項２に記載のポンプ装置。
【請求項４】
前記電源器は、電源トランスにより変圧された低電圧の交流又は電源トランスで変圧された後整流された低電圧の直流が流れる電線に前記ポンプ本体への電気の供給及び停止を行う電源スイッチの接点を備えていることを特徴とする請求項１乃至３の内いずれか１項に記載のポンプ装置。
【考案の詳細な説明】
【技術分野】
【０００１】
本考案は、浴槽の残り湯等を洗濯機の洗濯槽等へ汲み上げるのに用いられるポンプ装置に関するものである。
【背景技術】
【０００２】
従来、家庭等において水道水を節約するために浴槽の残り湯を洗濯に使用することが行われている。そして浴槽の残り湯を洗濯機の洗濯槽へ汲み上げるためにポンプ装置が用いられている。このようなポンプ装置としては、特許文献１乃至２に開示されたものがある。
【０００３】
特許文献１乃至２には「モータと、モータに接続された羽根と、羽根に流体を導くように吸込口が形成された筐体と、筐体から流体を吐出するために設けられた筒状の吐出口と、吐出口に接続されたホースと、モータの端子に電気的に接続され吐出口を通ってホースの中に通されると共にホースの終端部近傍から外部へ引き出された電線と、を備えたポンプ」が開示されている。なお、ホースの外部へ引き出された電線の端部にはプラグコネクタが配設され、このプラグコネクタを電源器のコネクタ差込口に接続することでモータと電源器が電気的に接続される。電線の端部にプラグコネクタが配設されているので、モータと羽根と筐体からなるポンプ本体を電源器から分離することができ、使用開始から３〜４年経ってブラシの磨耗等によりモータの寿命が終わった場合にはポンプ本体のみを別途購入して交換可能である。
【０００４】
【特許文献１】特開平１１−２３６８９５号公報
【特許文献２】特開２００３−２８６９９５号公報
【考案の開示】
【考案が解決しようとする課題】
【０００５】
しかしながら、上記従来の技術では以下のような課題を有していた。
（１）長期間使用するとポンプ本体側のプラグコネクタと電源器のコネクタ差込口との接触不良が生じ、動作の安定性に欠けるという課題を有していた。
（２）電線の端部に配設されるプラグコネクタや電源器に配設されるコネクタ差込口といった構成部品が必要になるため部品点数が増加し製造原価が高騰するという課題を有していた。
（３）ポンプの販売店は、ポンプ本体と電源器をセットにしたセット品と交換用のポンプ本体のみの交換品とを需要者のために用意しなければならず、在庫管理の手間がかかると共に陳列スペースが増加するという課題を有していた。なお、モータの寿命が終わった場合には電源器も汚れたり傷付いたりしているため、大多数の需要者はポンプ本体のみを買い換えずにセット品を購入し交換品は殆ど売れないが、販売店は少数の需要者のために交換品を用意しなければならないという課題を有していた。
【０００６】
本考案は、上記従来の課題を解決するもので、接触不良が生じる可能性がある箇所をなくし動作の安定性に優れると共に、部品点数を低減して低原価で製造でき生産性に優れ、且つ、販売店の在庫管理の手間を低減し陳列スペースを節約できるポンプ装置を提供することを目的とする。
【課題を解決するための手段】
【０００７】
上記課題を解決するために本考案のポンプ装置は、以下の構成を有している。
本考案の請求項１に記載のポンプ装置は、モータとインペラと吸込口と吐出口とを有するポンプ本体と、商用電源から得た交流を所定電圧の直流に変圧及び整流する電源器と、前記ポンプ本体と前記電源器とに接続され前記直流を前記ポンプ本体に供給する接続コードと、を備えたポンプ装置であって、前記接続コードの電源器側端部が前記電源器に直接固定されている構成を有している。
【０００８】
この構成により、以下のような作用を有する。
（１）電源器側端部にコネクタを設ける必要がなく、電源器にコネクタ差込口を設ける必要がないので、接触不良が生じず動作の安定性に優れると共に部品点数が低減するため低原価で製造でき生産性に優れる。
（２）ポンプ本体と電源器とが接続コードで接続され一体となって分離できないので、販売店はポンプ本体の交換品を用意する必要がなく、在庫管理の手間を低減し陳列スペースを節約できる。
【０００９】
本考案の請求項２に記載の考案は、請求項１に記載のポンプ装置であって、前記電源器の筐体に形成され前記接続コードの前記電源器側端部が挿通されるコード挿通孔と、前記電源器側端部を前記コード挿通孔又は前記電源器内部に固定するコード固定部と、を備えた構成を有している。
【００１０】
この構成により、請求項１の作用に加え、以下のような作用を有する。
（１）接続コードの電源器側端部をコード挿通孔に挿通してコード固定部でコード挿通孔又は電源器内部に固定できるので、強固に固定できると共に見栄えがよい。
【００１１】
ここで、コード固定部としては、電源器側端部に環装固定されコード挿通孔に嵌着されるゴム製パッキング部材等の嵌着部材や、基板にネジ止めして電源器側端部を狭着固定する狭着部材等が用いられる。なお、接続コードとコード挿通孔の隙間を前記嵌着部材により水密に塞ぐことで、水滴や洗濯時等の飛沫が電源器の筐体内に浸入するのを防止できる。
【００１２】
本考案の請求項３に記載の考案は、請求項２に記載のポンプ装置であって、前記コード固定部が、前記接続コードの前記電源器側端部に環装固定され前記コード挿通孔の筐体内側及び筐体外側に各々配設された鍔状部を備えた構成を有している。
【００１３】
この構成により、請求項２の作用に加え、以下のような作用を有する。
（１）一対の鍔状部間にコード挿通孔の縁部を嵌めることにより接続コードの電源器側端部を筐体に強固に嵌着固定することができる。
（２）鍔状部がコード挿通孔を塞いで密着するため、水滴や洗濯時等の飛沫が筐体内に浸入するのを確実に防止できる。特に、ゴム製パッキング部材等の可撓性を有する鍔状部を用いれば、水滴や飛沫の侵入をより確実に防止できる。
【００１４】
本考案の請求項４に記載の考案は、請求項１乃至３の内いずれか１項に記載のポンプ装置であって、前記電源器は、電源トランスにより変圧された低電圧の交流又は電源トランスで変圧された後整流された低電圧の直流が流れる電線に前記ポンプ本体への電気の供給及び停止を行う電源スイッチの接点を備えた構成を有している。
【００１５】
この構成により、請求項１乃至３の内いずれか１項の作用に加え、以下のような作用を有する。
（１）電源スイッチの接点が電源器の低電圧側に配設されているので、濡れた手で電源スイッチを操作した場合等に漏電しても低電圧なので感電のおそれがなく安全性に優れ使用者が安心して使用できると共に、感電のおそれがないので、電源スイッチに防水構造を施す必要がなく、部品点数が低減でき生産性に優れる。
【考案の効果】
【００１６】
以上説明したように本考案によれば、以下のような有利な効果が得られる。
請求項１に記載の考案によれば、
（１）電源器側端部にコネクタを設ける必要がなく、電源器にコネクタ差込口を設ける必要がないので、接触不良が生じず動作の安定性に優れたポンプ装置を提供することができる。
（２）コネクタ及びコネクタ差込口を設ける必要がなく、部品点数が低減するため低原価で製造でき生産性に優れたポンプ装置を提供することができる。
（３）ポンプ本体と電源器とが分離できないので、販売店はポンプ本体の交換品を用意する必要がなく、在庫管理の手間を低減し陳列スペースを節約でき販売店の負担を低減できるポンプ装置を提供することができる。
【００１７】
請求項２に記載の考案によれば、請求項１の効果に加え、
（１）接続コードの電源器側端部をコード挿通孔に挿通して固定できるので強固に固定できると共に見栄えがよい外観に優れ使用性に優れたポンプ装置を提供することができる。
【００１８】
請求項３に記載の考案によれば、請求項２の効果に加え、
（１）一対の鍔状部間にコード挿通孔の縁部を嵌めることにより接続コードの電源器側端部を筐体に強固に嵌着固定することができるポンプ装置を提供することができる。
（２）鍔状部がコード挿通孔を塞いで密着するため、水滴や洗濯時等の飛沫が筐体内に浸入するのを確実に防止でき、特に、ゴム製パッキング部材等の可撓性を有する鍔状部を用いれば、水滴や飛沫の侵入をより確実に防止できる水密性に優れたポンプ装置を提供することができる。
【００１９】
請求項４に記載の考案によれば、請求項１乃至３の内いずれか１項の効果に加え、
（１）電源スイッチの接点が電源器の低電圧側に配設されているので、濡れた手で電源スイッチを操作した場合等に漏電しても感電のおそれがなく安全性に優れ使用者が安心して使用できるポンプ装置を提供することができる。
（２）感電のおそれがないので、電源スイッチに防水構造を施す必要がなく、部品点数が低減でき生産性に優れたポンプ装置を提供することができる。
【考案を実施するための最良の形態】
【００２０】
以下、本考案の一実施の形態について、図１乃至図４を用いて説明する。
（実施の形態１）
図１は本実施の形態１におけるポンプ装置の正面図であり、図２（ａ）は本実施の形態１におけるポンプ装置のコード固定部を示す要部断面図であり、図２（ｂ）はコード固定部の他の例を示す要部断面図である。
図中、１は本実施の形態１におけるポンプ装置、２はポンプ本体、３はポンプケーシング、４はポンプケーシング３内に配設されたモータ、５はモータ４の駆動軸４ａに固定されたインペラ、６はポンプケーシング３の下端部に形成された吸込口、７はポンプケーシング３の上端部に突設された筒状の吐出口、８は電源器、９は一端部（ポンプ側端部）９ａがポンプ本体２に固定されモータ４に電気的に接続されると共に他端部（電源器側端部）９ｂが電源器８に固定された接続コード、１０は電源器８の筐体、１１は筐体１０の表面に露出して配設されポンプ本体２のモータ４への電力の供給及び停止を行う電源スイッチ、１２は電源器８に接続された電源コード、１３は電源コード１２の端部に配設され商用電源のコンセントに差込可能なプラグである。
ポンプ本体２のポンプケーシング３内には、モータ４が配設されたモータ室（図示せず）とインペラ５が配設され吸込口６及び吐出口７に連通したポンプ室（図示せず）とが形成され、モータ室はポンプ室及びポンプケーシング３外部に対し水密に形成されている。
電源スイッチ１１は筐体１０表面にスライド自在に配設された可動部を有し、該可動部をオン側又はオフ側へスライドさせることにより、後述の接点を開閉してモータ４の駆動し停止させることができる。
【００２１】
また、図２において、１４，１４′は電源器８の筐体１０の下部に形成され接続コード９の電源器側端部９ｂが挿通されたコード挿通孔、１５は電源器側端部９ｂに環装固定されコード挿通孔１４に嵌着されたコード固定部、１６は筐体１０内に配設された基板、１７は電源器側端部９ｂを基板１６に固定するコード固定部であり、電源器側端部９ｂを狭着する狭着部材１７ａと狭着部材１７ａを基板１６に螺着するネジ１７ｂとにより構成されている。
コード固定部１５は、ゴム材等の可撓性材により形成され、コード挿通孔１４の筐体内側及び筐体外側に配設される鍔状部１５ａ，１５ｂを有している。コード固定部１５は、可撓性の鍔状部１５ａをコード挿通孔１４に変形させながら押し入れることで筐体１０に取り付けられる。或いは、筐体１０を下側筐体と上側筐体（図示せず）により分割形成し、下側筐体と上側筐体の境目にコード挿通孔１４を形成し、コード固定部１５を下側筐体のコード挿通孔１４の下側半円溝に嵌着した後、上側筐体を下側筐体に覆設固定することで、コード固定部１５を筐体１０に取り付けるようにしてもよい。これにより、接続コード９の電源器側端部９ｂを筐体１０に強固に嵌着固定することができる。また、該鍔状部がコード挿通孔１４を塞ぐと共に密着するため、水滴や洗濯時等の飛沫が筐体１０内に浸入するのを防止できる。
コード固定部１７の狭着部材１７ａは、接続コード９の表面に沿う逆Ｕ字部と、その両端部から水平方向に延設されネジ孔が形成された一対の延設部とを有している。これにより、電源器側端部９ｂを筐体１０内の基板１６にネジ１７ｂで締め付けて強固に狭着固定することができる。また、コード挿通孔１４′の内径は接続コード９の内径と同一又は僅かに小さく形成されているので、接続コード９の外周部がコード挿通孔１４′の内周部に密着し、水滴や飛沫の浸入を防止できる。
【００２２】
以上のように構成された本実施の形態１におけるポンプ装置１について、以下その使用方法を図１乃至図４を用いて説明する。
図３はポンプ装置の使用状態を示す使用状態図であり、図４（ａ）は電源器の電気回路の回路図であり、図４（ｂ）は電源器の電気回路の他の例を示す回路図である。
図３において、２０は浴槽、２０ａは浴槽２０に貯留した残り湯等の水、２１は洗濯機、２１ａは洗濯機２１の洗濯槽、２２はホース、２３は商用電源のコンセントである。
図４において、２４は商用電源、２５は電源トランス、２６はブリッジ形整流器、２７はコンデンサ、２８は電源スイッチ、２９はヒューズである
まず、図３に示すように、電源器８を洗濯機２１が設置された洗濯室の壁面等に接着したりフック等で吊り下げたりして固定し、プラグ１３をコンセント２３に差し込む。次に、ホース２２の一端部をポンプ本体２の吐出口７に嵌着し、ポンプ本体２を浴槽２０の水２０ａに浸漬する。ホース２２の他端部は洗濯槽２１ａ内に挿入する。
電源器８の電源スイッチ１１の可動部をオン側へスライドさせると、図４に示すように接点２８が通電し、商用電源２４から入力された１００Ｖの交流は電源トランス２５により１３Ｖ〜１５Ｖの交流に変圧され、続いてブリッジ形整流器２６及びコンデンサ２７により１２Ｖの直流に整流され、モータ４に出力される。なお、電源トランス２５の高電圧側（商用電源側）の電線に過大な電流が流れるとヒューズ２９が溶けて回路が遮断される。
接続コード９を介してモータ４に直流電流が入力されると、モータ４は駆動軸４ａを介してインペラ５を回転させる。インペラ５の回転により、水２０ａは吸込口６から吸い込まれ、ポンプケーシング３を通って吐出口７から吐出され、ホース２２を通って洗濯槽２１ａに注入される。洗濯槽２１ａに所定量の水２０ａが注入されると、電源器８の電源スイッチ１１をオフしてモータ４の駆動を停止し、水２０ａの注入を停止する。
【００２３】
以上のように本実施の形態１におけるポンプ装置１は構成されているので、以下のような作用を有する。
（１）電源器側端部９ｂにコネクタを設ける必要がなく、電源器８にコネクタ差込口を設ける必要がないので、接触不良が生じず動作の安定性に優れると共に部品点数が低減するため低原価で製造でき生産性に優れる。
（２）ポンプ本体２と電源器８とが接続コード９で接続され一体となって分離できないので、販売店はポンプ本体２の交換品を用意する必要がなく、在庫管理の手間を低減し陳列スペースを節約できる。
（３）接続コード９の電源器側端部９ｂをコード挿通孔１４，１４′に挿通してコード固定部１５，１７でコード挿通孔１４又は筐体１０内の基板１６に固定しているので、強固に固定できると共に見栄えがよく、且つ、接続コード９とコード挿通孔１４，１４′との隙間を水密に塞いで水滴や洗濯時等の飛沫が筐体１０内に浸入するのを防止できる。
（４）電源スイッチ１１の接点２８が電源器８の低電圧側に配設されているので、濡れた手で電源スイッチ１１を操作した場合等に漏電しても低電圧なので感電のおそれがなく安全性に優れ使用者が安心して使用できると共に、感電のおそれがないので、電源スイッチ１１に防水構造を施す必要がなく、部品点数が低減でき生産性に優れる。
【産業上の利用可能性】
【００２４】
以上説明したように、本考案は、浴槽の残り湯等を洗濯機の洗濯槽等へ汲み上げるのに用いられるポンプ装置に関し、特に本考案によれば、接触不良が生じる可能性がある箇所をなくし動作の安定性に優れると共に、部品点数を低減して低原価で製造でき生産性に優れ、且つ、販売店の在庫管理の手間を低減し陳列スペースを節約できるポンプ装置を提供することができる。
【図面の簡単な説明】
【００２５】
【図１】実施の形態１におけるポンプ装置の正面図
【図２】（ａ）実施の形態１におけるポンプ装置のコード固定部を示す要部断面図（ｂ）コード固定部の他の例を示す要部断面図
【図３】ポンプ装置の使用状態を示す使用状態図
【図４】（ａ）電源器の電気回路の回路図（ｂ）電源器の電気回路の他の例を示す回路図
【符号の説明】
【００２６】
１  ポンプ装置
２  ポンプ本体
３  ポンプケーシング
４  モータ
４ａ  駆動軸
５  インペラ
６  吸込口
７  吐出口
８  電源器
９  接続コード
９ａ  ポンプ側端部
９ｂ  電源器側端部
１０  筐体
１１  電源スイッチ
１２  電源コード
１３  プラグ
１４，１４′  コード挿通孔
１５  コード固定部
１５ａ，１５ｂ  鍔状部
１６  基板
１７  コード固定部
１７ａ  狭着部材
１７ｂ  ネジ
２０  浴槽
２０ａ  水
２１  洗濯機
２１ａ  洗濯槽
２２  ホース
２３  コンセント
２４  商用電源
２５  電源トランス
２６  ブリッジ形整流器
２７  コンデンサ
２８  接点
２９  ヒューズ
【図１】
0003115822.tif 000003
【図２】
0003115822.tif 000004
【図３】
0003115822.tif 000005
【図４】
0003115822.tif 000006